(57)【要約】【課題】加入者宅側からセンタ局側に伝送される光信号を高精度に再生中継できる光中継装置及び光伝送システムを提供する。  【解決手段】上り伝送処理回路１７０では、受信回路１７２と駆動回路１７３との間に信号パターン検出回路１７５が設けられており、これを用いて受信回路１７２で再生処理された信号がＯＮＵ１４０から伝送された正常な信号か否かを判定させるようにしている。信号パターン検出回路１７５で正常以外の信号が検出されると、リセット回路１７６を起動させてＡＧＣ回路１７７をリセットさせるようにしている。【選択図】図１
2008079210.tif 000002
【特許請求の範囲】
【請求項１】
センタ局に設けられたセンタ側光回線終端装置と加入者宅に設けられた加入者宅側光回線終端装置との間で光ファイバを介して伝送される光信号を中継する光中継装置であって、
前記センタ側光回線終端装置から送信された光信号を受信して電気信号に変換し、少なくとも識別再生とリタイミングの各処理を行った後再び光信号に変換して前記加入者宅側光回線終端装置に送信する下り光伝送処理回路と、
前記加入者宅側光回線終端装置から送信された光信号を受信して電気信号に変換し、等価増幅、識別再生及びリタイミングの各処理を行った後再び光信号に変換して前記センタ側光回線終端装置に送信する上り光伝送処理回路とを備え、
前記上り光伝送処理回路は、前記加入者宅側光回線終端装置から出射された光信号でない正常以外の信号を検出する信号パターン検出回路と、
前記信号パターン検出回路により前記正常以外の信号が検出されると前記識別再生の処理に用いられる閾値をリセットするリセット回路とをさらに備える
ことを特徴とする光中継装置。
【請求項２】
前記加入者宅側光回線終端装置から送信される光信号はバースト信号である
ことを特徴とする請求項１に記載の光中継装置。
【請求項３】
前記上り光伝送処理回路は、受信した前記光信号をもとに前記閾値を自動調整する自動ゲイン制御回路を有し、
前記リセット回路は、前記自動ゲイン制御回路をリセットすることで前記閾値をリセットする
ことを特徴とする請求項１又は請求項２に記載の光中継装置。
【請求項４】
前記信号パターン検出回路は、受信した前記光信号に対し符号化則エラーの判定を行うことで前記正常以外の信号を検出する
ことを特徴とする請求項１から請求項３のいずれか１項に記載の光中継装置。
【請求項５】
前記リセット回路は、前記信号パターン検出回路において前記正常以外の信号が検出されてから次に正常信号が検出されるまでの期間に、前記閾値を１回だけリセットする
ことを特徴とする請求項１から請求項３のいずれか１項に記載の光中継装置。
【請求項６】
前記リセット回路は、前記信号パターン検出回路により前記正常以外の信号が検出されると、前記加入者宅側光回線終端装置から出射される光信号の最短信号長の間に前記閾値を１回だけリセットする
ことを特徴とする請求項１から請求項３のいずれか１項に記載の光中継装置。
【請求項７】
前記上り光伝送処理回路は、前記信号パターン検出回路により前記正常以外の信号が検出されると、前記リセット回路を所定時間だけ遅延させて作動させるための遅延回路を備える
ことを特徴とする請求項１から請求項３のいずれか１項に記載の光中継装置。
【請求項８】
請求項１から請求項７のいずれか１項に記載の光中継装置を、前記センタ側光回線終端装置と前記加入者宅側光回線終端装置との間に少なくとも１つ備える
ことを特徴とする光伝送システム。
【発明の詳細な説明】
【技術分野】
【０００１】
本発明は、光中継装置及び光伝送システムに関し、より詳しくはＰＯＮ型の光中継装置及び光伝送システムに関する。
【背景技術】
【０００２】
ＦＴＴＨ、ＣＡＴＶ等の光ネットワークでは、センタ局から加入者宅に至る光伝送路をスプリッタ等の受動素子により複数に分岐して構成されたＰＯＮ（Passive Optical Network）型の光伝送システムが使用されている。
【０００３】
センタ局に設置された光回線終端装置（ＯＬＴ：Optical Line Termination）は、加入者宅側に引き出された光ファイバで受動素子であるスプリッタに接続され、ここで複数の加入者宅の光回線終端装置（ＯＮＵ：Optical Network Unit）にそれぞれ接続された複数本の光ファイバに分岐される。スプリッタは受動的な素子であり、単に光を物理的にパワー分岐するだけである。ＰＯＮ型の光伝送システムでは、ＯＬＴからスプリッタまでは複数の加入者で共有されることになることから、センタ局内の設備と光ファイバケーブルを複数の加入者で共用される経済性に優れたシステムである。
【０００４】
センタ局には、上記のような構成のＯＬＴが複数設けられており。それぞれが異なる地域の加入者宅のＯＮＵと接続されている。すなわち、距離的に近い複数の加入者宅の集団を１つの地域とし、各加入者宅のＯＮＵを１つのスプリッタに接続して当該地域向けのＯＬＴと接続している。なお、１つのスプリッタで分岐可能な光ファイバ数が限られているため、この数を超える加入者宅と接続させる場合には、複数のスプリッタを用いて階層的に分岐させることができる。
【０００５】
センタ局と加入者宅がある地域との距離が長くなると、その間を接続する光ファイバを伝搬中に光信号の波形劣化が発生してしまう。そこで、このような場合には伝送路の途中に光中継装置を設け、これによって光信号の再生中継を行わせるようにしている。光中継装置は、例えばＯＬＴとスプリッタとの間に接続することができる。ＰＯＮ型光伝送システムにおいて光中継装置を使用することは、例えば特許文献１に記載されている。
【０００６】
光中継装置の従来の構成例を図７に示す。光中継装置９００は、センタ局側の光ファイバ９０１に接続される第１のＷＤＭカプラ９０３と、加入者宅側の光ファイバ９０２に接続される第２のＷＤＭカプラ９０４と、第１，第２のＷＤＭカプラ９０３、９０４の間でセンタ局側から加入者宅側への下り光伝送路に設けられた下り光伝送処理回路９１０と、第１，第２のＷＤＭカプラの間で加入者宅側からセンタ局側への上り光伝送路に設けられた上り光伝送処理回路９２０とを有している。
【０００７】
ＷＤＭカプラ９０３又は９０４を介して入射された光信号は、受光素子９１１又は９２１で電気信号に変換され、受信回路９１２又は９２２で信号パターンの再生処理が行われる。そして、再生された信号パターンで駆動回路９１３又は９２３を駆動させて発光素子９１４又は９２４から光信号を出射させている。
【０００８】
光中継装置９００に入射される光信号のうち、センタ局側から入射され下り光伝送処理回路９１０で処理される光信号はその強度がほぼ揃っているのに対し、上り光伝送処理回路９２０で処理される光信号は、異なるＯＮＵから出射されスプリッタで合波されたものであることから、強度の異なる光信号が合波されている。上り光伝送処理回路９２０に入射される光信号の一例を図８に示す。
【０００９】
図８に示す光信号９３０は、異なるＯＮＵから出射された光信号９３１、９３２、９３３等を合波したものであり、それぞれの強度が異なっている。受信回路９２２では、入力した信号を所定の閾値と比較することでパルスの有無を識別しているが、入力する信号の強度が異なっていることから、上記の閾値の大きさを入力信号の信号レベルに応じて適切に調整するようにしている。
【００１０】
上記の閾値の調整手段として、自動ゲイン制御回路（ＡＧＣ（Auto Gain Control）回路）が従来から用いられており、これは入力信号を移動平均する等の方法で上記の閾値を自動的に調整するようにしたものである。ＡＧＣ回路を用いて調整された閾値の一例を、図８の破線９４０で示す。
【特許文献１】特開２００２−２６１６９７号公報
【発明の開示】
【発明が解決しようとする課題】
【００１１】
しかしながら、従来のＡＧＣ回路を用いた方法では、閾値９４０が適切な値に調整されるまで時間がかかってしまうといった問題があった。例えば図８において、光信号９３１の後に強度の低い光信号９３２が入射されると、閾値９４０が十分に低下するまでに時間がかかるため、光信号９３２の先頭の一部のパルスの判定が適切に行えなくなるといった問題があった。
【００１２】
そこで、本発明はこれらの問題を解決するためになされたものであり、加入者宅側からセンタ局側に伝送される光信号を高精度に再生中継できる光中継装置及び光伝送システムを提供することを目的とする。
【課題を解決するための手段】
【００１３】
本発明の光中継装置の第１の態様は、センタ局に設けられたセンタ側光回線終端装置と加入者宅に設けられた加入者宅側光回線終端装置との間で光ファイバを介して伝送される光信号を中継する光中継装置であって、前記センタ側光回線終端装置から送信された光信号を受信して電気信号に変換し、少なくとも識別再生とリタイミングの各処理を行った後再び光信号に変換して前記加入者宅側光回線終端装置に送信する下り光伝送処理回路と、前記加入者宅側光回線終端装置から送信された光信号を受信して電気信号に変換し、等価増幅、識別再生及びリタイミングの各処理を行った後再び光信号に変換して前記センタ側光回線終端装置に送信する上り光伝送処理回路とを備え、前記上り光伝送処理回路は、前記加入者宅側光回線終端装置から出射された光信号でない正常以外の信号を検出する信号パターン検出回路と、前記信号パターン検出回路により前記正常以外の信号が検出されると前記識別再生の処理に用いられる閾値をリセットするリセット回路とをさらに備えることを特徴とする。
【００１４】
本発明の光中継装置の他の態様は、前記加入者宅側光回線終端装置から送信される光信号はバースト信号であることを特徴とする。
【００１５】
本発明の光中継装置の他の態様は、前記上り光伝送処理回路が、受信した前記光信号をもとに前記閾値を自動調整する自動ゲイン制御回路を有し、前記リセット回路は、前記自動ゲイン制御回路をリセットすることで前記閾値をリセットすることを特徴とする。
【００１６】
本発明の光中継装置の他の態様は、前記信号パターン検出回路が、受信した前記光信号に対し符号化則エラーの判定を行うことで前記正常以外の信号を検出することを特徴とする。
【００１７】
本発明の光中継装置の他の態様は、前記リセット回路が、前記信号パターン検出回路において前記正常以外の信号が検出されてから次に正常信号が検出されるまでの期間に、前記閾値を１回だけリセットすることを特徴とする。
【００１８】
本発明の光中継装置の他の態様は、前記リセット回路が、前記信号パターン検出回路により前記正常以外の信号が検出されると、前記加入者宅側光回線終端装置から出射される光信号の最短信号長の間に前記閾値を１回だけリセットすることを特徴とする。
【００１９】
本発明の光中継装置の他の態様は、前記上り光伝送処理回路が、前記信号パターン検出回路により前記正常以外の信号が検出されると、前記リセット回路を所定時間だけ遅延させて作動させるための遅延回路を備えることを特徴とする。
【００２０】
本発明の光伝送システムの第１の態様は、第１から第７の態様のいずれかの光中継装置を、前記センタ側光回線終端装置と前記加入者宅側光回線終端装置との間に少なくとも１つ備えることを特徴とする。
【発明の効果】
【００２１】
本発明によれば、加入者宅側からセンタ局側に伝送される上り側の光信号に対し、正常以外の信号を受信したタイミングでパルスの有無を識別するための閾値をリセットするようにしたことにより、高精度に再生中継できる光中継装置及び光伝送システムを提供することが可能となる。
【発明を実施するための最良の形態】
【００２２】
本発明の好ましい実施の形態における光中継装置及び光伝送システムについて、図面を参照して詳細に説明する。なお、同一機能を有する各構成部については、図示及び説明簡略化のため、同一符号を付して示す。
【００２３】
図２は、本発明の一実施形態であるＰＯＮ型の光伝送システムを示す構成図である。光伝送システム１００は、センタ局１１０に複数のセンタ側光回線終端装置（ＯＬＴ）１１１―ｉ（ｉ＝１〜ｎ、ｉ、ｎ：自然数）を備える一方、各加入者宅には加入者宅側光回線終端装置（ＯＮＵ）１４０を備えている。ＯＬＴ１１１―ｉとＯＮＵ１４０とは、光信号伝送路としての光ファイバ１５０で接続されているが、その途中に光中継装置１２０―ｉとスプリッタ（光合分波器）１３０―ｉが設けられている。
【００２４】
ＯＬＴ１１１―ｉは、それぞれ異なる地域に対応して設けられており、それぞれが光ファイバ１５０で光中継装置１２０―ｉの一端と接続されている。また、光中継装置１２０―ｉの他端は、地域ごとに設けられたスプリッタ１３０―ｉに接続され、さらにスプリッタ１３０―ｉには、各地域の加入者宅に備えられたＯＮＵ１４０が接続されている。各ＯＮＵから出射される光信号は、プリアンブル信号とデータ信号とからなるバースト信号とすることができる。
【００２５】
なお図２では、すべてのＯＬＴ１１１―ｉとスプリッタ１３０―ｉとの間に光中継装置１２０―ｉを設置するようにしているが、センタ局１１０に近い地域に設置されたスプリッタ１３０―ｉとの間には、光中継装置１２０―ｉを設ける必要はない。また、スプリッタ１３０―ｉに接続可能なＯＮＵ１４０の数には例えば３２個以下といった制限があるため、スプリッタ１３０―ｉを階層的に設けることで、１つのＯＬＴ−ｉに接続されるＯＮＵ１４０の数を増やすことも可能である。
【００２６】
光中継装置１２０―ｉは、ＯＬＴ１１１―ｉとＯＮＵ１４０との間で伝送される光信号を、光伝送路の途中で再生して中継する装置であり、特にＯＬＴ１１１―ｉとＯＮＵ１４０との間の距離が長い場合に、その間で劣化した光信号を再生して中継するために設けられる。光中継装置１２０―ｉの詳細な構成を、図１に示すブロック図を用いて説明する。
【００２７】
図１に示す光中継装置１２０―ｉは、センタ局１１０側の光ファイバ１５０−ａに接続される第１のＷＤＭカプラ１２１と、加入者宅側の光ファイバ１５０−ｂに接続される第２のＷＤＭカプラ１２２と、第１，第２のＷＤＭカプラ１２１、１２２の間でセンタ局１１０側から加入者宅側への下り光伝送路に設けられた下り光伝送処理回路１６０と、第１，第２のＷＤＭカプラの間で加入者宅側からセンタ局１１０側への上り光伝送路に設けられた上り光伝送処理回路１７０とを有している。
【００２８】
第１，第２のＷＤＭカプラ１２１、１２２は、上り方向の光信号と下り方向の光信号とを分波する構造を有しており、ＷＤＭカプラに代えてサーキュレータを用いることも可能であり、あるいは３ｄＢカプラにアイソレータを組み合わせた構造としてもよい。
【００２９】
下り伝送処理回路１６０は、受光素子１６１、受信回路１６２、駆動回路１６３、及び発光素子１６４から構成されている。第１のＷＤＭカプラ１２１から入力された光信号は、受光素子１６１で電気信号に変換されて受信回路１６２に出力され、受信回路１６２において、２Ｒ又は３Ｒの機能により信号の再生処理が行われる。ここで、３Ｒ機能とは等価増幅（reshaping）、識別再生（regeneration）及びリタイミング（retiming）を行う機能であり、２Ｒとは識別再生とリタイミングを行う機能である。
【００３０】
駆動回路１６３は、受信回路１６２で再生処理された電気信号に基づいて発光素子１６４を駆動し、これにより発光素子１６４から所定波長の光信号を出射させて第２のＷＤＭカプラ１２２に入射する。第２のＷＤＭカプラ１２２に入射された光信号は、光ファイバ１５０―ｂに出射され、さらにスプリッタ１３０―ｉを介して各ＯＮＵ１４０に伝送される。なお、下り伝送処理回路１６０に設けられる発光素子１６４として、例えば１．４８〜１．５μｍの光を出射する半導体レーザを用いることができる。
【００３１】
これに対し上り伝送処理回路１７０は、受光素子１７１、受信回路１７２、駆動回路１７３、発光素子１７４に加えて、さらに信号パターン検出回路１７５とリセット回路１７６とを備えている。上り伝送処理回路１７０では、第２のＷＤＭカプラ１２２から入射された光信号が、受光素子１７１で電気信号に変換されて受信回路１７２に出力され、受信回路１７２で３Ｒの機能により信号パターンの再生処理が行われる。
【００３２】
受信回路１７２で再生処理された電気信号は、信号パターン検出回路１７５を介して駆動回路１７３に出力され、駆動回路１７３が入力した電気信号に基づいて発光素子１７４を駆動させる。これにより、発光素子１７４から所定波長の光信号が出射して第１のＷＤＭカプラ１２１に入射され、さらに光ファイバ１５０−ａに出射されてＯＬＴ１１１−ｉに伝送される。上り伝送処理回路１７０に設けられる発光素子１７４として、例えば１．２６〜１．３６μｍの光を出射する半導体レーザを用いることができる。
【００３３】
上り伝送処理回路１７０では、受信回路１７２と駆動回路１７３との間に信号パターン検出回路１７５が設けられており、これを用いて受信回路１７２で再生処理された信号がＯＮＵ１４０から伝送された正常な信号か否かを判定させるようにしている。各ＯＮＵ１４０からバースト信号が出射され、これがスプリッタ１３０−ｉで合波されて光中継装置１２０―ｉに入力されるときの信号パターンの一実施例を図３に示す。
【００３４】
図３は、ＯＮＵ１４０−ａから送信される光信号１ａとＯＮＵ１４０−ｂから送信される光信号１ｂのそれぞれの信号レベルが、スプリッタ１３０−ｉで合波される時点で異なっている例を示してしる。この場合、信号レベルの異なる光信号１ａと１ｂとが合波されて光信号１が形成され、これが光中継装置１２０―ｉに入力される。このように、各ＯＮＵ１４０から出射される光信号は、スプリッタ１３０−ｉで合波される時点ではそれぞれの信号レベルが異なっている。
【００３５】
図３に示すように、各ＯＮＵ１４０から送信されるバースト信号の信号レベルがそれぞれで異なるため、第２のＷＤＭカプラ１２２及び受光素子１７１を介して受信回路１７２に入力される電気信号の信号レベルも一定とはならない。そのため、受信回路１７２においてパルスの有無を識別するのに用いられる閾値の大きさを、入力信号の信号レベルに応じて適切に調整する必要がある。
【００３６】
上記の閾値の大きさを調整する手段として、受信回路１７２にＡＧＣ（Auto Gain Control）回路１７７を設け、このＡＧＣ回路１７７において入力信号を移動平均する等の方法で閾値を自動的に調整させるようにすることができる。しかしながら、ＡＧＣ回路１７７を用いて閾値を調整するようにした場合には、図８を用いて説明したように、閾値９４０が適切な値に調整されるまでに時間がかかってしまうといった問題があった。
【００３７】
そこで、本実施形態の光中継装置１２０―ｉでは信号パターン検出回路１７５を設け、受信回路１７２で再生された電気信号から正常以外の信号を信号パターン検出回路１７５で検出させるようにしている。ここで正常以外の信号とは、各ＯＮＵ１４０から送信された信号を正常信号とし、それ以外の信号を意味している。すなわち、各ＯＮＵ１４０から送信される信号と信号との間の送信信号がない期間の信号、あるいはノイズに相当する信号等を正常以外の信号としている。
【００３８】
信号パターン検出回路１７５で正常以外の信号が検出されると、リセット回路１７６を起動させてＡＧＣ回路１７７をリセットさせるようにしている。ＡＧＣ回路１７７がリセットされると、ＡＧＣ回路１７７で自動調整されていた閾値が所定の初期値にリセットされるようにしている。本実施形態の光中継装置１２０―ｉにおいて、上記のように調整される閾値の一実施例を図４に示す。
【００３９】
図４は、各ＯＮＵから送信された光信号１ａ、１ｂ、１ｃ等がスプリッタ１３０−ｉで合波されて形成された光信号１をもとに、ＡＧＣ回路１７７で自動調整して得られる閾値の例を示している。ここで、図４（ａ）は図８に示した従来の光中継装置９００による閾値９４０を比較のために示したものである。また、図４（ｂ）は、本実施形態の光中継装置１２０―ｉで得られる閾値１８０を示している。
【００４０】
本実施形態の光中継装置１２０―ｉでは、信号パターン検出回路１７５において光信号１から光電変換した電気信号が正常信号か正常以外の信号かを判定し、図４（ｃ）に示すような判定結果を得る。そして、正常信号から正常以外の信号に切り替わった時点で、図４（ｄ）に示すようなリセット信号１８１を信号パターン検出回路１７５からリセット回路１７６に出力させるようにする。リセット回路１７６は、信号パターン検出回路１７５からリセット信号１８１を受信すると、ＡＧＣ回路１７７をリセットすることで閾値１８０を所定の初期値に戻す。図４に示す実施例では、所定の初期値を０としている。
【００４１】
このように、信号パターン検出回路１７５の判定が正常信号から正常以外の信号に切り替わった時点でＡＧＣ回路１７７をリセットさせることにより、図４（ｂ）に示すような閾値１８０が得られる。図４（ａ）に示した従来の光中継装置９００による閾値９４０では、好ましい値に調整されるまでに時間がかかったため、光信号１ｂの先頭にある１又は複数のパルスを検出できなくなる恐れがあった。
【００４２】
これに対し本実施形態の光中継装置１２０―ｉでは、光信号１ｂを入力する前に閾値１８０が初期値にリセットされていることから、光信号１ａの影響を受けることなく閾値１８０が短時間で好ましい値に調整されている。その結果、受信回路１７２において光信号１ｂの先頭にあるパルスも誤りなく検出することが可能となる。
【００４３】
信号パターン検出回路１７５は、正常信号から正常以外の信号に切り替わった時点で１回だけリセット信号１８１をリセット回路１７６に出力するようにするのがよい。信号パターン検出回路１７５で正常以外の信号と判定された期間、リセット信号１８１を出力し続けると、その度にＡＧＣ回路１７７がリセットされるといった不必要な処理を継続することになる。
【００４４】
リセット信号１８１を上記のように１回だけ出力させるために、信号パターン検出回路１７５において、図５に示すような処理を行わせるようにするのがよい。図５は、信号パターン検出回路１７５において正常以外の信号を検出したとき、リセット信号１８１を１回だけ出力させるための処理方法を示す流れ図である。
【００４５】
まずステップＳ１では、信号パターン検出回路１７５に入力された信号が正常信号か正常以外の信号かを判定する。ステップＳ１で正常以外の信号と判定されると、ステップＳ２でリセットフラッグが０か１かを判定する。リセットフラッグは、ステップＳ１で正常信号と判定されている間は０に設定されており、ステップＳ２でリセットフラッグが０と判定されると、ステップＳ３でリセット信号１８１を出力するとともに、リセットフラッグを１に設定する。リセットフラッグが１に設定されると、以降のステップＳ１で正常以外の信号と判定される間は、ステップＳ２でステップＳ３の処理をバイパスするようになり、ステップＳ３の処理が１回だけ行われるようになる。
【００４６】
一方、ステップＳ１で正常信号と判定されると、次にステップＳ４に進み、ステップＳ４でリセットフラッグが０に設定される。直前までステップＳ１で正常以外の信号と判定されていた場合にはリセットフラッグが１に設定されており、ステップＳ１の判定が正常以外の信号から正常信号に切り替わった時点でリセットフラッグが０に設定される。これにより、ステップＳ１で再び正常信号から正常以外の信号に切り替わった時点で、ステップＳ３の処理が１回だけ行われることになる。
【００４７】
信号パターン検出回路１７５において上記のような処理を行わせることにより、正常信号から正常以外の信号に切り替わった時点で１回だけリセット信号１８１をリセット回路１７６に出力させるようにすることができる。その結果、ＡＧＣ回路１７７を不必要にリセットするのを防止することが可能となる。
【００４８】
本発明の光中継装置の別の実施形態として、信号パターン検出回路１７５における正常以外の信号の判定を、符号化則エラーの判定方法を用いて行わせるようにすることができる。この場合、少なくともＯＮＵ１４０から出射される光信号に対し８Ｂ／１０Ｂの符号化処理を行わせるようにする。これにより、例えば”０”が所定回数以上連続する信号を正常以外の信号と判定させることが可能となる。このように、符号化則エラーの判定方法を用いることで、信号パターン検出回路１７５において正常以外の信号をより確実に検出できるようにすることが可能となる。
【００４９】
上記の各実施形態では、信号パターン検出回路１７５で正常以外の信号と判定されている間に１回だけリセット信号１８１を出力させるようにしたが、リセット信号１８１の出力を例えばＯＮＵ１４０から出射される光信号の最短信号長の間に１回だけ行わせるようにしてもよい。ＯＮＵ１４０から出射される光信号の最短信号長は、例えば５１２ビットに設定されており、５１２ビットの信号を入力する間に１回だけリセット信号１８１を出力させるようにすることが可能である。
【００５０】
また、ＯＮＵ１４０から出射される光信号に対し８Ｂ／１０Ｂの符号化処理が行われている場合には、５１２÷０．８＝６４０ビットの間に１回だけリセット信号１８１を出力させるようにするのがよい。このように、光信号の最短信号長の間に１回だけリセット信号１８１を出力させるようにすることにより、ＡＧＣ回路１７７の不必要なリセット処理の回数を大幅に低減できるとともに、リセット処理をより確実に行わせるようにすることが可能となる。
【００５１】
本発明の光中継装置のさらに別の実施形態を、図６を用いて以下に説明する。本実施形態の光中継装置２００−ｉは、信号パターン検出回路１７５において入力信号が正常信号から正常以外の信号に切り替わったことを判定しても、リセット回路を直ちに作動させずに所定の時間遅れを与えた後に作動させるようにしている。これを実現するために、図６に示す実施形態では遅延回路２０１を備えるようにしており、信号パターン検出回路１７５からリセット信号１８１が出力されると、これを遅延回路２０１に入力させるようにしている。
【００５２】
遅延回路２０１は、信号パターン検出回路１７５からリセット信号１８１を入力した時点から経過時間を計測し、これが所定の遅延時間に達した時点でリセット回路１７６を作動させるようにしている。このように、信号パターン検出回路１７５から出力されるリセット信号１８１を、遅延回路２０１を介してリセット回路１７６に送信するようにすることにより、ＡＧＣ回路１７７をリセットするタイミングを所定時間だけ遅らせるようにすることが可能となる。
【００５３】
遅延回路２０１により遅延させる時間長さは、事前に決定して遅延回路２０１に記憶させておくことができる。遅延時間の長さは、上り伝送処理回路１７０に設けられた各処理回路の処理時間等から任意に決定することができる。遅延回路２０１を設けてＡＧＣ回路１７７のリセットを所定時間だけ遅延させることにより、上り伝送処理回路１７０での各処理の終了を待つことで整合性を確保することが可能となる。
【００５４】
なお、遅延回路２０１による遅延時間は、前述の各ＯＮＵ１４０から出射される光信号の最短信号長よりは短くなるように設定するのが好ましい。これにより、遅くともＯＮＵ１４０から出射される光信号の最短信号長よりも早くリセット信号１８１を出力させるようにすることができる。
【００５５】
なお、本実施の形態における記述は、本発明に係る光中継装置及び光伝送システムの一例を示すものであり、これに限定されるものではない。本実施の形態における光中継装置及び光伝送システムの細部構成及び詳細な動作等に関しては、本発明の趣旨を逸脱しない範囲で適宜変更可能である。
【図面の簡単な説明】
【００５６】
【図１】本発明の実施形態に係る光中継装置を示すブロック図である。
【図２】本発明の実施形態に係る光伝送システムを示すブロック図である。
【図３】スプリッタで合波されて本実施形態の光中継装置に入射するときの信号パターンを示す図である。
【図４】ＡＧＣ回路で自動調整して得られた閾値と、信号パターン検出回路１７５による判定結果、及びリセット信号１８１とを対比して示す図である。
【図５】信号パターン検出回路においてリセット信号を１回だけ出力するようにするための処理方法を示す流れ図である。
【図６】本発明の別の実施形態に係る光中継装置を示すブロック図である。
【図７】従来の光中継装置を示すブロック図である。
【図８】従来のＡＧＣ回路で自動調整して得られる閾値を示す図である。
【符号の説明】
【００５７】
１、９３０、９３１、９３２、９３３    光信号
１００    光伝送システム
１１０    センタ局
１１１―ｉ    センタ側光回線終端装置
１２０―ｉ、２００―ｉ、９００    光中継装置
１２１、１２２    ＷＤＭカプラ
１３０―ｉ    スプリッタ
１４０    加入者宅側光回線終端装置
１５０、９０１、９０２    光ファイバ
１６０    下り伝送処理回路
１６１、１７１    受光素子
１６２、１７２    受信回路
１６３、１７３    駆動回路
１６４、１７４    発光素子
１７０    上り伝送処理回路
１７５    信号パターン検出回路
１７６    リセット回路
１７７    ＡＧＣ回路
１８０    閾値
１８１    リセット信号
２０１    遅延回路
９０３    第１のＷＤＭカプラ
９０４    第２のＷＤＭカプラ
９１０    下り光伝送処理回路
９２０    上り光伝送処理回路
９１１、９２１    受光素子
９１２、９２２    受信回路
９１３、９２３    駆動回路
９１４、９２４    発光素子
９４０    閾値
【図１】
2008079210.tif 000003
【図２】
2008079210.tif 000004
【図３】
2008079210.tif 000005
【図４】
2008079210.tif 000006
【図５】
2008079210.tif 000007
【図６】
2008079210.tif 000008
【図７】
2008079210.tif 000009
【図８】
2008079210.tif 000010